(57)【特許請求の範囲】
【請求項１】
無線通信システムにおいてパケットデータ制御情報およびパケットデータを少なくとも１つの移動局に伝送する方法であって、前記方法は、
第１のパケットデータ制御チャンネル上で第１の制御情報を伝送することであって、前記第１の制御情報は、第１のパケットデータチャンネルに関連付けられている、ことと、
第２のパケットデータ制御チャンネル上で第２の制御情報を伝送することであって、前記第２の制御情報は、第２のパケットデータチャンネルに関連付けられている、ことと
を含み、
前記第１のパケットデータ制御チャンネルおよび前記第２のパケットデータ制御チャンネルは、前記第２のパケットデータチャンネル上でパケットデータを受信するための制御情報を取得するために移動局によって所定の順序でモニタされる、方法。
【請求項２】
前記所定の順序は、用いられているパケットデータ制御チャンネルの数に基づいている、請求項１に記載の方法。
【請求項３】
前記第１の制御情報および前記第２の制御情報は、同時に伝送される、請求項２に記載の方法。
【請求項４】
現在用いられているパケットデータ制御チャンネルの数を示す指示子を伝送することをさらに含み、
前記指示子が２つのパケットデータ制御チャンネルが現在用いられていることを示す場合には、前記移動局は、前記第１のパケットデータ制御チャンネルおよび前記第２のパケットデータ制御チャンネルを前記所定の順序でモニタする、請求項１に記載の方法。
【請求項５】
前記所定の順序は、ＣＤＭが用いられているか否かに基づいている、請求項１に記載の方法。
【請求項６】
無線通信システムにおいて移動局で制御情報およびパケットデータを受信する方法であって、前記方法は、
現在用いられているパケットデータ制御チャンネルの数を示す指示子を受信することと、
前記指示子が２つのパケットデータ制御チャンネルが現在用いられていることを示す場合には、第１の制御情報および第２の制御情報をそれぞれ取得するために第１のパケットデータ制御チャンネルおよび第２のパケットデータ制御チャンネルを所定の順序でモニタすることと、
前記取得された第１および第２の制御情報を用いることによって、パケットデータチャンネル上でパケットデータを受信することと
を含む、方法。
【請求項７】
前記所定の順序は、用いられているパケットデータ制御チャンネルの数に基づいている、請求項６に記載の方法。
【請求項８】
前記第１の制御情報は、ＣＤＭが現在用いられているか否かを示すＣＤＭ指示子を含む、請求項６に記載の方法。
【請求項９】
制御チャンネルの最大数を示す情報を受信することをさらに含む、請求項８に記載の方法。
【請求項１０】
パケットデータを受信することおよび前記第１および第２の制御情報を受信することの前に、追加情報を受信することをさらに含み、
前記追加情報は、ＣＤＭがサポートされているか否かを示す情報、パケットデータチャンネルの最大数を示す情報、ＣＤＭが現在用いられているか否かを示す情報のうちの少なくとも１つを含む、請求項６に記載の方法。
【請求項１１】
前記第１および第２のパケットデータ制御チャンネルのうちの少なくとも一方に対応するワルシコード情報を受信することをさらに含む、請求項６に記載の方法。
【請求項１２】
無線通信システムにおいて基地局と移動局との間でパケットデータおよび制御情報を伝送する方法であって、前記方法は、
第１のパケットデータ制御チャンネル上で第１の制御情報を伝送することと、
第２のパケットデータ制御チャンネル上で第２の制御情報を伝送することと
を含み、
前記第１の制御情報は、第１のパケットデータチャンネルに関連付けられており、前記第２の制御情報は、第２のパケットデータチャンネルに関連付けられており、
前記第１および第２の制御情報の両方が用いられる場合には、前記第１および第２のパケットデータ制御チャンネルが、前記第１の制御情報が前記第２の制御情報よりも前に用いられるように所定の順序で復号化される、方法。
【請求項１３】
前記所定の順序は、用いられているパケットデータ制御チャンネルの数に基づいている、請求項１２に記載の方法。
【請求項１４】
パケットデータを伝送することおよび前記第１および第２の制御情報を伝送することの前に、追加情報を少なくとも１つの移動局に伝送することをさらに含み、
前記追加情報は、ＣＤＭがサポートされているか否かを示す情報、パケットデータチャンネルの最大数を示す情報、現在用いられているパケットデータ制御チャンネルの数を示す情報、ＣＤＭが現在用いられているか否かを示す情報のうちの少なくとも１つを含む、請求項１２に記載の方法。
【請求項１５】
ワルシコード情報を少なくとも１つの移動局に伝送することをさらに含み、前記ワルシコード情報は、前記第１および第２のパケットデータ制御チャンネルのうちの少なくとも一方に対応する、請求項１２に記載の方法。
【請求項１６】
少なくとも１つのパケットデータチャンネル上で伝送のためにパケットデータをスケジュールすることと、
少なくとも１つのデータ伝送期間の間、少なくとも１つのパケットデータチャンネルを介して前記パケットデータを伝送することと
をさらに含む、請求項１２に記載の方法。
【請求項１７】
前記所定の順序は、ＣＤＭが用いられているか否かに基づいている、請求項１２に記載の方法。
【請求項１８】
前記所定の順序は、復号化が実行されているか否かに基づいている、請求項１２に記載の方法。
【請求項１９】
サポートされているパケットデータ制御チャンネルの最大数またはサポートされているパケットデータチャンネルの最大数を示す情報を伝送することをさらに含む、請求項１２に記載の方法。
【請求項２０】
各パケットデータ制御チャンネルがそれに関連付けられたパケットデータチャンネルのための制御情報を含むように、前記第１のパケットデータチャンネルおよび前記第１のパケットデータ制御チャンネルは、１対１の対応関係を有し、かつ、前記第２のパケットデータチャンネルおよび前記第２のパケットデータ制御チャンネルは、１対１の対応関係を有する、請求項１２に記載の方法。
【請求項２１】
無線通信システムにおいて移動局で制御情報およびパケットデータを受信する方法であって、前記方法は、
第１のパケットデータ制御情報を基地局から受信するために第１のパケットデータ制御チャンネルを受信することと、
第２のパケットデータ制御情報を前記基地局から受信するために第２のパケットデータ制御チャンネルを受信することと
を含み、
前記移動局は、前記第１および第２のパケットデータ制御情報を受信するために前記第１および第２のパケットデータ制御チャンネルを所定の順序でモニタする、方法。
【請求項２２】
前記第１および第２のパケットデータ制御チャンネルのうちの少なくとも一方に対応するワルシコード情報を受信することをさらに含む、請求項２１に記載の方法。
【請求項２３】
前記第１のパケットデータ制御チャンネル上の前記情報は、ＣＤＭが現在用いられているか否かを示すＣＤＭ指示子を含む、請求項２１に記載の方法。
【請求項２４】
前記移動局は、制御チャンネルの最大数および現在用いられている制御チャンネルの数をさらに受信する、請求項２３に記載の方法。
【請求項２５】
パケットデータを伝送することおよび前記第１および第２の制御情報を伝送することの前に、追加情報を少なくとも１つの移動局に受信することをさらに含み、
前記追加情報は、ＣＤＭがサポートされているか否かを示す情報、パケットデータチャンネルの最大数を示す情報、現在用いられているパケットデータ制御チャンネルの数を示す情報、ＣＤＭが現在用いられているか否かを示す情報のうちの少なくとも１つを含む、請求項２１に記載の方法。
【請求項２６】
用いられているパケットデータ制御チャンネルの最大数または用いられているパケットデータチャンネルの最大数を示す情報を受信することをさらに含む、請求項２１に記載の方法。
【請求項２７】
各パケットデータ制御チャンネルがそれに関連付けられたパケットデータチャンネルのための制御情報を含むように、第１のパケットデータチャンネルおよび前記第１のパケットデータ制御チャンネルは、１対１の対応関係を有し、かつ、第２のパケットデータチャンネルおよび前記第２のパケットデータ制御チャンネルは、１対１の対応関係を有する、請求項２３に記載の方法。
【請求項２８】
現在用いられているパケットデータ制御チャンネルの数を示す指示子を受信することをさらに含み、
前記指示子が２つのパケットデータ制御チャンネルが現在用いられていることを示す場合には、前記第１のパケットデータ制御チャンネルおよび前記第２のパケットデータ制御チャンネルを前記所定の順序でモニタする、請求項２１に記載の方法。
【発明の詳細な説明】
【技術分野】
【０００１】
本発明は通信システムに関し、特に、通信システムにおけるパケットデータ伝送方法に関するものである。
【背景技術】
【０００２】
現在の移動通信システムはパケットデータを伝送するために一つ又はその以上のパケットデータチャンネル及びパケットデータ制御チャンネルのような物理チャンネルを用い続けている。ＰＤＣＨは一つ以上その以上の移動局又はユーザに伝送される一つ又はその以上のパケットデータセットなどが伝送されるチャンネルである。各移動局は時分割方式を用いて他の移動局と一つのＰＤＣＨを共有することもできる。前記ＰＤＣＨは一つ又はその以上の制御信号などが伝送される制御チャンネルである。一つの制御信号は一つ又はその以上の制御信号などが伝送される制御チャンネルである。一つの制御信号は一つ又はその以上の移動局などが該当ＰＤＣＨを介して伝送されるデータパケットを受信することを可能にするようにする制御情報を包含する。
【０００３】
現在システムにおいて、基地局はＴＤＭ方式を用いて移動局にパケットデータセットなどを伝送する。前記パケットデータセットなどは互いに異なる時間間隔で各移動局に伝送されるか、同一な時間間隔で各移動局のためのパケットデータセットを区別する互いに異なるコード（例えば、ワルシコードなど）を用いて伝送され得る。
【発明の概要】
【発明が解決しようとする課題】
【０００４】
ＴＤＭ方式を用いて各端末機に伝送されるパケットデータセットは全ての通信資源などが無駄になる必要がないことにも関わらず、一つのＰＤＣＨで用いられる全て資源を常に用いられるようにしている。結果的に、前記システムの資源などはたまに浪費される。追加的に、ＴＤＭ方式を用いている現在システムにおいて、ＰＤＣＨを介して各移動局にパケットデータセットを伝送するための時間区間は固定されている。従って、前記システム資源を効率的に用いることは容易ではない。データ通信方法は前記通信システムの伝送資源を更に効率的に用いることによって前記言及された短所などを克服する必要がある。
【０００５】
以上のような問題点を解決するために、本発明は通信システムにおいてパケットデータを伝送する方法を提供し、特に前記システムの資源及びチャンネルの利用効率を増大させるＣＤＭ及び／又はＴＤＭデータ通信システムにおけるパケットデータシステムを提供する方法を提供する。
【課題を解決するための手段】
【０００６】
上記のような目的を達成するための本発明によると、通信システムにおいてパケットデータチャンネル上でパケットデータを伝送する方法は、少なくとも二つのパケットデータ制御チャンネルに優先順位を与える段階と、前記優先順位が与えられたパケットデータ制御チャンネルの少なくとも一つを介してパケットデータチャンネルに関する制御情報を伝送する段階と、前記パケットデータチャンネル上に前記パケットデータを各々伝送する段階とを含めてなることを特徴とする。
【０００７】
本発明の他の特徴によると、通信システムにおいてパケットデータチャンネル上でパケットデータを伝送する方法は、伝送のための一つ以上のパケットデータをスケジューリングする段階と、前記スケジューリングの間ＣＤＭを用いるか用いないかに対して決定する段階と、ＣＤＭが用いられる場合、優先順位を有する少なくとも二つのパケットデータ制御チャンネル上で少なくとも二つのパケットデータ制御チャンネルに関連される制御情報を伝送する段階と、一つ又はその以上のデータ伝送区間の間、前記制御チャンネルに当たるパケットデータチャンネルを介して前記パケットデータを伝送する段階とを含めてなることを特徴とする。
【０００８】
本発明の他の特徴によると、無線通信システムにおいてパケットデータ制御情報を伝送する方法は、  第１優先順位を有する第１パケットデータ制御チャンネル上から第１移動局に第１制御情報を伝送する段階と、第２優先順位を有する第２パケットデータ制御チャンネル上から第２移動局に第２制御情報を伝送する段階とを含めてなることを特徴とする。
【０００９】
本発明の他の特徴によると、無線通信システムにおいて制御情報を伝送する方法は、特定時間に時間的に同一に配置されたフレーム区間を用いて少なくとも二つの制御チャンネル上でパケットデータチャンネルに当たる制御情報を各々伝送する段階を含めてなることを特徴とする。
【００１０】
本発明の他の特徴によると、無線通信システムにおいてパケットデータ制御チャンネルを介して情報を受信する方法は、基地局からパケットデータ制御チャンネルの優先順位情報を受信する段階と、前記優先順位情報によって割り当てられた移動局に当たるパケットデータ制御チャンネルを検出する段階と、前記パケットデータ制御チャンネル上に制御情報を受信する段階とを含めてなることを特徴とする。
【００１１】
本発明の他の特徴によると、通信ネットワークにおいてパケットデータを通信する方法は、少なくとも一つの制御チャンネルの優先順位情報と制御チャンネル情報とＣＤＭが現在用いているかどうかを指示するＣＤＭ指示者を含む情報を基地局から受信する段階と、前記基地局から受信された情報によって前記少なくとも一つの制御チャンネルをモニターリングする段階と、前記モニターリング結果から獲得された結果を用いて各移動局によって当該パケットデータを受信する段階とを含めてなることを特徴とする。
【００１２】
本発明の他の特徴によると、少なくとも二つの制御チャンネルと少なくとも二つのデータチャンネルが無線通信システムで支援されている場合、ＣＤＭ（ＣＯＤＥ  ＤＩＶＩＳＩＯＮ  ＭＵＬＴＩＰＬＥＸＩＮＧ）及び／又はＴＤＭ（ＴＩＭＥ  ＤＩＶＩＳＩＯＮ  ＭＵＬＴＩＰＬＥＸＩＮＧ）を用いる無線通信システムにおいてパケットデータを伝送する方法は、既に決定されたしきい値に応答して少なくとも二つの制御チャンネルに優先順位を与える段階と、前記優先順位が与えられた制御チャンネルと前記少なくとも二つのチャンネルを連結させる段階と、少なくとも一つの移動局に前記優先順位が与えられた制御チャンネルを通報する段階と、前記優先順位が与えられた制御チャンネルに当たる少なくとも一つのデータチャンネルを用いて前記パケットデータを伝送する段階と、を含めてからなることを特徴とする。
【００１３】
本発明の他の特徴によると、ＣＤＭ（ＣＯＤＥ  ＤＩＶＩＳＩＯＮ  ＭＵＬＴＩＰＬＥＸＩＮＧ）及び／又はＴＤＭ（ＴＩＭＥ  ＤＩＶＩＳＩＯＮ  ＭＵＬＴＩＰＬＥＸＩＮＧ）を用いる通信ネットワークにおいてパケットデータを受信する方法は、少なくとも二つの制御チャンネルと少なくとも二つのデータチャンネルが無線通信ネットワークで支援されている場合、前記少なくとも二つの制御チャンネルを優先順位化した制御チャンネル情報を受信する段階と、前記優先順位が与えられた制御チャンネルと前記少なくとも二つのデータチャンネルを連結させる段階と、前記優先順位が与えられた制御チャンネルの順序によって前記少なくとも二つの制御チャンネルをモニターリングする段階を含めてからなることを特徴とする。
【００１４】
本発明の他の特徴によると、少なくとも二つの制御チャンネルと少なくとも二つのデータチャンネルが無線通信システムから支援されている場合、ＣＤＭ及び／又はＴＤＭを用いる通信ネットワークにおいてパケットデータを受信する方法は、既に決定されたしきい値に応じて少なくとも二つの制御チャンネルに優先順位を与える手段と、前記少なくとも二つのデータチャンネルと優先順位が与えられた前記制御チャンネルを連結する手段と、優先順位が与えられた前記制御チャンネルに当たる少なくとも二つのデータチャンネルを用いて前記パケットデータを伝送する手段を含めて構成されることを特徴とする。
【図面の簡単な説明】
【００１５】
【図１】ＴＤＭデータ伝送方法の一例を示した図である。
【図２】本発明の望ましい実施例によってパケットデータ制御チャンネルとパケットデータチャンネルとの間で一対一対応を説明するためのＴＤＭ／ＣＤＭデータ伝送方法の一例を示した図である。
【図３】本発明の一実施例によってＴＤＭ／ＣＤＭデータ伝送方法の他の例を示した図である。
【図４ａ】本発明の一実施例によってＴＤＭ／ＣＤＭデータ伝送方法の他の例を示した図である。
【図４ｂ】本発明の一実施例によってＴＤＭ／ＣＤＭデータ伝送方法の他の例を示した図である。
【図５ａ】本発明の一つ又はその以上の実施例によってＴＤＭ／ＣＤＭデータ伝送方法の更に異なる例を示す図である。
【図５ｂ】本発明の一つ又はその以上の実施例によってＴＤＭ／ＣＤＭデータ伝送方法の更に異なる例を示す図である。
【図５ｃ】本発明の一つ又はその以上の実施例によってＴＤＭ／ＣＤＭデータ伝送方法の更に異なる例を示す図である。
【発明を実施するための形態】
【００１６】
以下、添付された図面を参考して本発明による半導体素子の製造方法を詳しく説明する。
【００１７】
本発明は各移動局にパケットデータセットを伝送するためにワルシコードと、パケットデータチャンネルＰＤＣＨと、パケットデータ制御チャンネルＰＤＣＣＨを用いる移動通信システムに関するものである。
【００１８】
ワルシコード空間はパケットデータを伝送するとき、基地局が用いる利用可能なワルシコードなどのセットである。前記ワルシコード空間の各要素は時間によって多様である。例えば、Ｗａｌｓｈ＿Ｍａｘはワルシコード空間に含まれるワルシコードの最大数を指示する。Ｗａｌｓｈ＿Ａｌｌは例えば、ワルシコード空間に含める全てのワルシコードを指示する。本発明は例として、ワルシコードを用いることを説明しているが他の適するチャンネルコードを用いるシステムでも実現できる。
【００１９】
一つ以上のＰＤＣＨが用いられる時、ＰＤＣＨ（ｉ）はｉ番目のＰＤＣＨを示す。幾つか実施例では一つ以上のＰＤＣＨがワルシコード空間を分けて用いる。例えば、一つのシステムが四つのＰＤＣＨ（ＰＤＣＨ（０）、ＰＤＣＨ（１）、ＰＤＣＨ（２）、ＰＤＣＨ（３））を用いると仮定すれば、パケットデータを伝送するようにスケジューリングされるＰＤＣＨはワルシコード空間を分けて用いる。反面、前記システムが一つのＰＤＣＨを用いると仮定するとき、該ＰＤＣＨはＷａｌｓｈ＿Ａｌｌを用いる。又、前記システムが二つのＰＤＣＨ（ＰＤＣＨ（０）、ＰＤＣＨ（１））だけを用いるとするとき、該二つのＰＤＣＨはワルシコード空間を共有する。結果的に前記二つのＰＤＣＨによって用いられるワルシコードなどはＷａｌｓｈ（０）、Ｗａｌｓｈ（１）で定義できる。
【００２０】
Ｗａｌｓｈ（ｉ）はワルシコード空間に包含されるサブ空間を指示する。該サブ空間は特定時間でＰＤＣＨ（ｉ）が用いるワルシコードのセットを含める。ひいては前記ワルシコード空間が変えなくてもＷａｌｓｈ（ｉ）は経時的に変えられる。
【００２１】
即ち、Ｗａｌｓｈ（ｉ）は他のデータ伝送区間の間にはワルシコードの互いに異なるセットを包含できる。これはＷａｌｓｈ（ｉ）に包含されるワルシコードの数が経時変化ができるということを意味する。望ましくはＮｍａｘ＿ＰＤＣＨはある時間にシステムが用いられるＰＤＣＨ又はＰＤＣＣＨなどの最大数を指示する。
【００２２】
図１はＴＤＭデータ伝送方法の一例を示すものである。
【００２３】
図１に示すように基地局はＴＤＭ（Ｔｉｍｅ  Ｄｉｖｉｓｉｏｎ  Ｍｕｌｔｉｐｌｅｘｉｎｇ）方式を用いて既に決定された規則によって各ユーザ（移動局）にパケットデータを伝送する。この場合、前記基地局はワルシコード空間に含まれる全てのワルシコード（Ｗａｌｓｈ＿Ａｌｌ）を用いる。
【００２４】
図１を参照すると、一人のユーザのための各データ伝送区間は固定又は可変的である。また一つのＰＤＣＨを介して一人のユーザにユーザデータを伝送するための区間と、ＰＤＣＣＨを介して同一ユーザに制御情報を伝送する時間区間は互いに必ず一致する必要はない。基地局がデータを伝送し始める時間と、各伝送に対するデータ伝送区間は既に決定された規則によって決定される。二つの連続されるデータ伝送などの間に休止期間は前記システムのチャンネル環境によって存在或いは不存在することもできる。
【００２５】
ＴＤＭ及び／又はＣＤＭ（以下、ＴＤＭ／ＣＤＭ）方式で本発明の一実施例によると、基地局は各ユーザにデータを伝送する順序をまず決定し、該決定された順序によってデータを伝送する。前記基地局は少なくとも一つのＰＤＣＨを支援できる。もし、一つのＰＤＣＨだけが用いられると、Ｗａｌｓｈ＿Ａｌｌは該ＰＤＣＨ上でパケットデータを伝送するのに用いられる。なお、もし、二つの以上のＰＤＣＨが用いられると該複数のＰＤＣＨはワルシコード空間を分けて用いることができる。即ち、ＰＤＣＨ（ｉ）はＰＤＣＣＨ（ｉ）に関連してＷａｌｓｈ（ｉ）を用いる。ＰＤＣＣＨはＰＤＣＨ（ｉ）に該当する制御情報を伝送するものである。
【００２６】
各移動局（ユーザ）はＰＤＣＣＨ（ｉ）をモニターリングしてその当該パケットデータセットがＰＤＣＨ（ｉ）を介してどのように伝送されているかが分かる。前記説明の通り、ＰＤＣＨ（ｉ）上においてユーザにユーザデータを伝送するための時間区間と、ＰＤＣＣＨ（ｉ）を介して同一ユーザに制御情報を伝送するための時間区間は互いに必ず一致する必要はない。  
【００２７】
図２は本発明の実施例によってパケットデータチャンネルと、パケットデータ制御チャンネルの一対一の対応を示しているＴＤＭ／ＣＤＭデータ伝送方法の例を示したものである。
【００２８】
もし、各パケットデータ制御チャンネルがその関連パケットデータチャンネルのための制御情報を包含するように、前記パケットデータ制御チャンネルがパケットのための制御情報を伝送するために用いられると、前記パケットデータチャンネルと前記パケットデータ制御チャンネルの間には一対一の対応が存在する。
【００２９】
図１に示したように、或る二つの連続されるデータ伝送間の休止期間が環境状態のフィードバックによって存在ないし不存在することもできる。図２に示すように空区間はＰＤＣＨないしＰＤＣＣＨのいずれも用いていないことを指示する。例えば、ａ区間で四つのＰＤＣＨと、ＰＤＣＣＨなどが用いられている。ｂとｃの区間で四つのＰＤＣＣＨと三つのＰＤＣＨが用いられている。ｄ区間で一つのＰＤＣＨと一つのＰＤＣＣＨが用いられている。最後にｅ区間で四つの全ＰＤＣＣＨとＰＤＣＨが用いられている。
【００３０】
図１及び図２に示すようにＴＤＭ又はＴＤＭ／ＣＤＭデータ伝送方法において、基地局は以下のように各基地局に一つ以上の情報を伝送する。例えば、基地局はそれがＣＤＭを支援するかどうかに対して物理チャンネル、シグナリングチャンネル又は放送チャンネルを介して各移動局に関連された情報を伝送する。前記基地局はそれが動作し始める時又はその動作状態によって何時でも該情報を伝送する。
【００３１】
他の実施例に前記基地局は用いられるＰＤＣＨなどの最大数、Ｎｒｅａｌ＿ＰＤＣＨを決定し、これを物理チャンネル、シグナリングチャンネル、又は放送チャンネルを介して各移動局に伝送する。例えば、該最大素は既に設定されることもできる。選択的に前記基地局はそれが動作し始める時又はその動作状態によって何時でも該情報を送れる。
【００３２】
また、一つ以上のＰＤＣＨ及び／又はＰＤＣＣＨによって用いられるワルシコードの構成情報及び前記ＰＤＣＣＨの優先順位は既に決定され得る。ここで前記ＰＤＣＣＨの前記優先順位情報は他の制御チャンネル、シグナリングチャンネル又は放送チャンネル上で基地局で伝送され得る。
【００３３】
即ち、ＥＳＰＭ（ｅｘｔｅｎｄｅｄ  ｐａｒａｍｅｔｅｒ  ｍｅｓｓａｇｅ）、ＥＣＡＭ（ｅｘｔｅｎｄｅｄ  ｃｈａｎｎｅｌ  ａｓｓｉｇｎｍｅｎｔ  ｍｅｓｓａｇｅ）、ＭＣ＿Ｐａｒａｍｅｔｅｒ  ｍｅｓｓａｇｅ、ＵＨＤＭ（ｕｎｉｖｅｒｓａｌ  ｈａｎｄｏｆｆ  ｄｉｒｅｃｔｉｏｎ  ｍｅｓｓａｇｅ）などがある。前記優先順位情報は互いに既に決定され得るし、前記情報はワルシコード情報である。もし、前記優先順位が移動局又は端末機によって決定されれば、各移動局又は基地局は自分でＰＤＣＣＨ識別者をセットすることができる。
【００３４】
他の実施例では例えば、前記基地局は各移動局に前記の情報を伝送する。選択的に前記基地局は自分が動作し始める時や自信の動作状態によって何時でも前記情報を伝送できる。
【００３５】
本発明の一特徴によると、前記基地局は前記移動局に前記システムによって現在用いられるＰＤＣＨなどの数を指示するＮｒｅａｌ＿ＰＤＣＨを伝送することができる。該Ｎｒｅａｌ＿ＰＤＣＨが変更する毎に前記基地局は前記変更されるＮｒｅａｌ＿ＰＤＣＨを各移動局に物理チャンネル、シグナリングチャンネル又は放送チャンネルを介して伝送できる。各ＰＤＣＣＨの優先順位はそのチャンネルの重要度、伝送環境又はそのチャンネルを介して伝送されるデータによって異なる。ＰＤＣＣＨ（ｉ）の優先順位はｉと仮定する。
【００３６】
また、他の実施例によってチャンネルの優先順位が前記ユーザの伝送環境によって決定され得る。データ通信システムにおいて、エラー検出及び他の診断道具などは前記システム内でデータ受信及び送信の正確度及び効率度を決定するために前記通信システムに付加及び実現され得る。従って、多様な伝送環境がデータ伝達優先順位及び／又は伝送効率に基づいて分類されるか、ランクされ得る。望ましくはかかるチャンネル優先順位情報は移動局に伝送される。
【００３７】
本発明の一実施例において、例えば、最悪の伝送効率を有する環境が第１制御チャンネルと第１データチャンネル（例えば、ＰＤＣＣＨ（０）／ＰＤＣＣＨ（０））が割り当てられ、最高の伝送効率を有する環境が最後制御チャンネルと、最後データチャンネル（例えば、ＰＤＣＣＨ（Ｎ−１）／ＰＤＣＨ（Ｎ−１））が割り当てられた。他の実施例では一番重要な環境（即ち、最優先データを有する一つ）が例えば、第１データチャンネルと、第１データチャンネルＰＤＣＣＨ（０）、ＰＤＣＨ（０）に割り当てられ、一番重要でない環境（最下位の優先順位を有する一つ）が最後制御チャンネルと最後データチャンネル（ＰＤＣＣＨ（Ｎ−１）／ＰＤＣＨ（Ｎ−１））が割り当てられた。前記チャンネル割り当ては他の方式で成されることができる。本発明の一つの特徴によると、前記基地局は各移動局にＣＤＭ指示者を送ってＣＤＭ方式を用いてパケットデータを伝送しているかどうかを各移動局に知らせる。
【００３８】
該特徴は必須ではなく、ＣＤＭが任意の制御チャンネル上で用いられているかどうか、一つ又はその以上の特定データチャンネル上で通信している基地局及び／又はユーザから受信された環境情報に基づき決定される。
【００３９】
前記基地局は前記ＣＤＭ指示者の情報ビットを生成し、該ＣＤＭ指示者ビットなどは各移動局に伝送する。一実施例において前記ＣＤＭ指示者は一つのデータビットからなる。例えば、前記指示者が１にセットされた場合、それは基地局が現在ＣＤＭ方式を用いてパケットデータを伝送していることを意味する。例えば、もし、前記指示者が０にセットされた場合、それは前記基地局がパケットデータを伝送するためにＣＤＭ方式を用いていないことを意味する。他の実施例として、複数のビット数に成されるＣＤＭ指示者が用いられる。
【００４０】
前記情報の少なくとも一つが基地局によって提供された後、パケットデータセットを伝送する方法は以下で詳細に説明する。
【００４１】
時間ｔａにおいて、前記基地局は第１スケジューリング過程を行って伝送のための第１パケットデータを選択する。次の前記基地局はＰＤＣＣＨ（０）上で当該制御情報を伝送し、Ｗａｌｓｈ（０）を用いるＰＤＣＨ（０）上で前記第１パケットデータを伝送する。
【００４２】
もし、時間ｔａにおいてＣＤＭが不要であることが分かることになるとＷａｌｓｈ（０）はＷａｌｓｈ＿Ａｌｌになることもある。  他の実施例ではコード割り当てフィールドは前記制御チャンネルを介して伝送される前記制御情報に包含される。例えば、一実施例として、５ビット数のコード割り当てフィールドはＰＤＣＨ（０）によって用いられたワルシコード上で制御情報を指示するためにＰＤＣＣＨ（０）を介して伝送される。
【００４３】
なお、前記基地局の時間ｔＡにおいてＣＤＭを用いるのが必要であると決定されればそれはＰＤＣＣＨ（０）、ＰＤＣＣＨ（１）、、、のような制御チャンネルを介して当該制御情報を伝送する。それは追加的に前記制御チャンネルに各々該当されるＰＤＣＨ（０）、ＰＤＣＨ（１）、、、のようなデータチャンネルを介してパケットデータを伝送する。すべてのスケジューリングされたパケットデータがセットされて送られると前記基地局は時間ｔｂで次のスケジューリング過程を行う。
【００４４】
もし、前記移動局が前記基地局によって提供されたＣＤＭ指示者を受信できない場合、前記移動局は各ＰＤＣＣＨの制御情報を分析して伝送されたパケットデータセットの有無を決定する。もし、前記基地局が前記ＣＤＭ指示者を提供せず、Ｎｒｅａｌ＿ＰＤＣＨが知られた場合、前記移動局は前記割り当てられたＰＤＣＣＨが検索されるまで又は制御チャンネルの優先順位によって全てのＰＤＣＣＨを継続的にモニターリングする。
【００４５】
もし、前記移動局が前記基地局によって提供されたＣＤＭ指示者を受信し、Ｎｒｅａｌ＿ＰＤＣＨが知られた場合、前記移動局は前記ＣＤＭ指示者を継続的にチェックする。もし、前記ＣＤＭ指示者がＣＤＭが現在使用中ではことを指示すると、前記移動局はＰＤＣＣＨ（０）だけをモニターリングする。
【００４６】
なお、前記ＣＤＭ指示者がＣＤＭが使用中であることを指示すると、前記移動局は各ＰＤＣＣＨの制御情報を分析して受信するパケットデータセットがあるかどうかを検索するか、前記割り当てられたＰＤＣＣＨ又はワルシコード空間で全てのワルシコードが検索されるまで制御チャンネルの優先順位によって全てのＰＤＣＣＨを継続的にモニターリングする。
【００４７】
もし、前記基地局がＣＤＭ指示者を提供せず、Ｎｒｅａｌ＿ＰＤＣＨが知られると、前記移動局は前記基地局がＮｒｅａｌ＿ＰＤＣＨを用いて現在ＣＤＭが使われていないことが分かる。例えば、Ｎｒｅａｌ＿ＰＤＣＨが‘００’にセットされた場合、それはＣＤＭが用いていないことを意味する。なお、Ｎｒｅａｌ＿ＰＤＣＨが他の番号でセットされた場合、それは現在ＣＤＭが使用中であることを意味する。
【００４８】
後者の場合、前記移動局は各ＰＤＣＣＨの前記制御情報を分析して受信する必要のあるパケットデータがあるかどうかを検索するか割り当てられたＰＤＣＣＨ又はワルシコード空間における全てのワルシコードを検索するまで制御チャンネルの優先順位によって全てのＰＤＣＣＨを継続的にモニターリングする。
【００４９】
例えば、Ｎｒｅａｌ＿ＰＤＣＨが“００”にセットされた場合、前記移動局はＰＤＣＣＨ（０）だけをモニターリングする。例えば、もし、Ｎｒｅａｌ＿ＰＤＣＨが“０１”セットされた場合、前記移動局はＰＤＣＣＨ（０）とＰＤＣＣＨ（１）をモニターリングする。もし、Ｎｒｅａｌ＿ＰＤＣＨが“１０”にセットされた場合、前記移動局はＰＤＣＣＨ（０）、ＰＤＣＣＨ（１）、ＰＤＣＣＨ（２）をモニターリングする。
【００５０】
また、Ｎｒｅａｌ＿ＰＤＣＨが“１１”にセットされた場合、前記移動局は全てのＰＤＣＣＨをモニターリングする。又、Ｎｒｅａｌ＿ＰＤＣＨは他のビットの値にもセットされ得る。ここで提供されているビットセットは単に例に過ぎなく本発明の範囲を制限する構成要素ではない。
【００５１】
前記開示のように、もし前記移動局がＰＤＣＣＨ  ＥＨはＰＤＣＨのデータ伝送区間を認識できなければ、（例えば、ＰＤＣＨ（ｉ）の各データ伝送区間はＰＤＣＣＨ（ｉ）の制御情報には包含されず）各移動局はＰＤＣＣＨ（ｉ）のＣＲＣをチェックすることを包含する他の追加方法を用いてこれを検索できる。これによってデータ伝送区間はブラインド方式によって計算できる。
【００５２】
図３は本発明の一実施例によるＴＤＭ／ＣＤＭデータ伝送方法の他の例を示したものである。図示のように一実施例で前記基地局はＣＤＭを一切用いることなく全ての制御情報はＰＤＣＣＨ（０）を介して伝送される。
【００５３】
図４ａないし図４ｂは本発明の一つ又はその以上の実施例によるＴＤＭ／ＣＤＭデータ伝送方法の追加的な例を示したものである。ＣＤＭが用いられる各区間で制御情報セットはその優先順位によって一つ又はその以上のＰＤＣＣＨ上で伝送される。図４ａないし図４ｂ何れもはＮｒｅａｌ＿ＰＤＣＨは４と仮定する。
【００５４】
望ましい実施例によってＣＤＭ伝送区間の間、前記ＰＤＣＣＨ（０）の伝送間隔など（例えば、図４ａないし図４ｂで間隔など又はフレーム区間などａ、ｂ、ｃ）は任意的にセットされ得る。しかしながら、最下位の優先順位のチャンネルＰＤＣＣＨ（１）、ＰＤＣＣＨ（３）が望ましく最上の優先順位を有するチャンネル、即ち、ＰＤＣＣＨ（０）と同一伝送間隔を用いる。即ち、二つ又はその以上のデータ制御チャンネルが特定時間に用いられている時ＰＤＣＨ及び／又はＰＤＣＣＨチャンネルは時間的に同一に整列されたフレーム区間を用いる。
【００５５】
図４ａを参照すると、区間‘ａ’と‘ｃ’でＴＤＭだけが用いられるのでＰＤＣＣＨ（０）はＷａｌｓｈ＿Ａｌｌを用いる。しかしながら、区間‘ｂ’でＣＤＭだけが用いられるのでＰＤＣＣＨ（ｉ）はＷａｌｓｈ（ｉ）を用いる。区間ｂにおいて二つのスケジューリングされたユーザ３と４があるのでＮｒｅａｌ＿ＰＤＣＨは２である。
【００５６】
即ち、ＣＤＭが用いられ、二つのＰＤＣＣＨがあるので、該ＰＤＣＣＨ（例えば、ＰＤＣＣＨ（０）、ＰＤＣＣＨ（１））などは優先順位で用いられるべきである。
【００５７】
図４ｂを参照すると、区間ａ、ｃ、ｅでＴＤＭだけ用いられるのでＰＤＣＣＨ（０）はＷａｌｓｈ＿Ａｌｌを用いる。しかしながら、区間ｂとｄでＣＤＭだけが用いられるのでＰＤＣＣＨ（ｉ）はＷａｌｓｈ（ｉ）を用いる。区間ｂとｄでＮｒｅａｌ＿ＰＤＣＨは各々２と３ｄである。即ち、ＣＤＭが用いられ、三つのＰＤＣＣＨ（例えば、ＰＤＣＣＨ（０）、ＰＤＣＣＨ（１）、ＰＤＣＣＨ（２））があるから該ＰＤＣＣＨは優先順位に用いられるべきである。
【００５８】
図５ａないし図５ｃは本発明によるＴＤＭ／ＣＤＭデータ伝送方法の追加的な例を示したものである。ここで、ＰＤＣＣＨ（ｉ）のデータ伝送区間の長さは制限されている。図５ａを参照すれば、区間ａでＰＤＣＣＨ（１）とＰＤＣＣＨ（２）のためのデータ伝送区間の長さはＰＤＣＣＨ（０）より短い。図５ｂを参照すれば、区間ａでＰＤＣＣＨ（１）とＰＤＣＣＨ（２）のためのデータ伝送区間の長さはＰＤＣＣＨ（０）より短い。また、ＰＤＣＣＨ（１）とＰＤＣＨ（２）のためのデータ伝送区間の長さは互いに同一である。図５ｃを参照すれば、区間ａでＰＤＣＣＨ（１）とＰＤＣＨ（２）のためのデータ伝送区間の長さはＰＤＣＣＨ（０）の伝送区間の長さと同一である。即ち、最優先順位のデータ制御チャンネルのフレーム区間は最下位優先順位のデータ制御フレームのフレームを制限する。
【００５９】
もし、二つ又はその以上のデータ制御チャンネルの特定時間に用いられていたら、そのようなデータ制御チャンネルは時間的に同一に整列されたフレーム区間で用いられ、該データ制御チャンネルの開始は当該データチャンネルの開始と同一に配置されている。同時に伝送されるデータ制御チャンネルに当たるデータチャンネルは同一時間と同一の区間で伝送が開始される。
【００６０】
望ましい実施例などは、ソフトウェア、ファームウェア、ハードウェア、これらのある組合いを作り出すために標準プログラミング及び／又はエンジニアリング技術を用いる構造物、装置又は方法として実現できる。
【００６１】
ここで用いられた構造物とはＩＣチップ、フィールドプログラマブルゲートアレイ、ＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）などのようなハードウェアロジックと、ハードディスクドライブ、フロッピー（Ｒ）ディスク、テープなどのマグネチック貯蔵媒体と、ＣＤ−ＲＯＭなど、光ディスクのような光貯蔵体とＥＥＰＲＯＭ、ＲＯＭ、ＰＲＯＭ、ＲＡＭ、ＤＲＡＭ、ＳＲＡＭ、ファームウェア、プログラマブルロジックのような非活性メモリ装置に実現されたロジック又はコードを参照する。コンピューター読みとり可能な媒体でコードはプロセッサーによって行われ、アクセスされる。
【００６２】
前記実施例において、前記システムは新しいパケットデータ制御チャンネルＮＰＤＣＣＨｓ（Ｎｅｗ  Ｐａｃｋｅｔ  Ｄａｔａ  Ｃｏｎｔｒｏｌ  Ｃｈａｎｎｅｌｓ：ＮＰＤＣＣＨｓ）を用いることができる。該ＮＰＰＤＣＣＨは追加的な制御情報を伝送する追加制御チャンネルである。
【００６３】
(発明の効果)
以上から説明したように、本発明によるＣＤＭ及びＴＤＭデータ伝送方法の結合方式を用いることで有用なシステムの資源の浪費を防止するデータ通信方法が提供される。
【００６４】
前記提供の方法は一つのデータ伝送チャンネルを用いる通信システムでデータ制御チャンネルの過剰飽和を防止する。
【００６５】
以上本発明の好適な一実施形態に対して説明したが、前記実施形態のものに限定されるわけではなく、本発明の技術思想に基づいて種々の変形可能である。
【図１】
0004845977.tif 000002
【図２】
0004845977.tif 000003
【図３】
0004845977.tif 000004
【図４ａ】
0004845977.tif 000005
【図４ｂ】
0004845977.tif 000006
【図５ａ】
0004845977.tif 000007
【図５ｂ】
0004845977.tif 000008
【図５ｃ】
0004845977.tif 000009